(57)【要約】      （修正有）【課題】従来の靴型容器の場合、靴型本体部の中にお菓子を収納するか、或いは、本体部の顎部の上に円筒状の収納部を別途設けてお菓子を収納するために、靴型本体部を成形するためのコストが高くなり、一方で、従来から大量に市販されてカップ状商品の更なる販売が求められており、そのための付加価値をどのようにすべきかが追求されていた。【解決手段】本考案のカップ型ブーツは、短靴形状の本体部の顎部にお菓子を封入した市販のカップ体を直接載置可能な係合部を設け、更に、係合部の表面に筒状、三角形状、円形形状からなる多角形状の中空体を設けてカップ体内部のお菓子や、或いは、単独で学習具を挿通させたりできる多用途の靴体容器を提供するものである。【選択図】図１
0003126109.tif 000002
【実用新案登録請求の範囲】
【請求項１】
短靴形状の容器本体部１にお菓子を封入したカップ状菓子体３が載置されるカップ型ブーツであって、上記本体部１上部の顎部６にカップ状菓子体３の底部が嵌合する係合部７が設けられると共に、該係合部７の表面には中空体８が設けられて、菓子体や学習用具を挿入できることを特徴とするカップ型ブーツ。
【請求項２】
上記本体部１は、発泡材やプラスチック材からなることを特徴とする請求項１記載のカップ型ブーツ。
【請求項３】
上記中空体８は、上記本体部１の係合部７表面に設けられた筒状、三角形状、円形形状からなる多角形状であることを特徴とする請求項１〜２記載のカップ型ブーツ。
【考案の詳細な説明】
【技術分野】
【０００１】
本考案は、お菓子等のクリスマスプレゼントに適した靴型商品であり、特に短靴状本体部にカップ型商品を載置して販売可能な短靴型商品に関するものである。
【背景技術】
【０００２】
従来、お菓子を靴型容器に入れた商品としては長靴形状の中に所望のお菓子を入れたものが良く知られている他、実用新案登録第３０６７９４２号「靴型容器」のように、内部に菓子類が収納される上部開口の靴型容器であって、実際の歩行が可能な強度を有する靴型部材と内部中空の靴本体部とを備えた靴型容器も知られている。
【０００３】
また実用新案登録第３０６７２７８号「クリスマスプレゼント用収納用ブーツ型容器」のように、短靴形状を呈する中空の容器下部体とお菓子等を詰め込んだ袋体を収納する縦長筒状を呈する容器上部体とを容器連結体で連結してなるクリスマスプレゼント収納用ブーツ型容器も知られている。
【考案の開示】
【考案が解決しようとする課題】
【０００４】
上記のように靴型容器の場合、靴型本体部の中にお菓子を収納するか、或いは、本体部の顎部の上に円筒状の収納部を別途設けてお菓子を収納するために、靴型本体部を成形するためのコストが高くなるという欠点があった。
【０００５】
一方で、従来から大量に市販されてカップ状商品の更なる販売が求められており、そのための付加価値をどのようにすべきかが追求されていたが、他の組み合わせで販売する要素は少ないのが現状であった。
【課題を解決するための手段】
【０００６】
本考案者は、係る課題を解決するために鋭意研究したところ、短靴形状の本体部の顎部にお菓子を封入した市販のカップ体を直接載置可能な係合部を設け、更に、係合部の表面に筒状、三角形状、円形形状からなる多角形状の中空体を設けてカップ体内部のお菓子や、或いは、単独で学習具を挿通させたりできる多用途の靴体容器を開発することができた。
【０００７】
すなわち本考案の第一は、短靴形状の容器本体部１にお菓子を封入したカップ状菓子体３が載置されるカップ型ブーツであって、上記本体部１上部の顎部６にカップ状菓子体３の底部が嵌合する係合部７が設けられると共に、該係合部７の表面には中空体８が設けられて、菓子体や学習用具を挿入できることを特徴とするカップ型ブーツである。
【０００８】
本考案の第二は、上記本体部１は、発泡材やプラスチック材からなることを特徴とする請求項１記載のカップ型ブーツである。
【０００９】
本考案の第三は、上記中空体８は、上記本体部１の係合部７表面に設けられた筒状、三角形状、円形形状からなる多角形状であることを特徴とする請求項１〜２記載のカップ型ブーツである。
【考案の効果】
【００１０】
本考案に係る商品は、大量に市販されているカップ商品を直接短靴形状の本体部に設けられた顎部の係合部に載置できるために、他種類のカップ体を用いることが可能となっている。
【００１１】
短靴型の本体部は、発泡材やポリオレフィン系樹脂等のプラスチック材で型どりしたものであるが、本体顎部に円形形状、三角形状、四角形状の係合部を設けて、カップ体の底部筒壁が容易に嵌合できるようになっている。
【００１２】
また、係合部表面には、筒状、三角形状、円形形状からなる多角形状から成る中空体が設けられてカップ体内部のお菓子が挿通されたり、或いは直接、鉛筆やボールペン等の学習用具が挿通できるようになっているため、単なる装飾体のみならず筆立てや保存容器としても使用できるものである。
【考案を実施するための最良の形態】
【００１３】
以下に本考案に係るカップ型ブーツの詳細を図面を参照して説明するが、本考案の範囲はこれらに限定されないものである。
【実施例１】
【００１４】
図１は、本考案に係るカップ型ブーツの全体を示す斜視図である。このカップ型ブーツは、発砲スチロール材から成るブーツ本体部１に紙製容器から成るお菓子を封入するカップ本体部３が載置する形状のものである。
【００１５】
ブーツ本体部１は、図２に示すように前記本体部１の上部に顎部６を設け、その上に円筒形状の係合部７を設けてカップ本体部１の底部側の壁体（図示せず）が脱着可能に接合して載置できるようにしている。
【００１６】
上記係合部の形状は、図２に示すように円形形状であってもよいが、さらに、図３及び図４に示すように四角系や三角形のような多角形であっても、カップ本体部１の底部側の壁体（図示せず）が脱着可能に接合して載置できるようにしている。
【００１７】
本考案のカップ型ブーツは、図２〜図５に示すようにさらに係合部７の表面に筒状、三角形状、円形形状からなる多角形状である中空部を設け、カップ本体内部に封入されているお菓子そのもを挿通したり、或いは鉛筆やボールペン等の学習用具を挿通したり、他の学習具を保存する用にできるものである。
【００１８】
本考案のカップ型ブーツで用いるカップ本体は、大量に市販されている商品を取替えて載置できるために１メーカーの商品以外にも汎用が可能と成っている。
【００１９】
本条案において、ブーツ型本体部は上記の発砲スチロール材以外の硬質のポリスチレン樹脂等であっても構わないが、一定形状を保ものであれば問題がない。
【図面の簡単な説明】
【００２０】
【図１】本考案に係るカップ型ブーツの全体を示す斜視図である。
【図２】図１におけるブーツ本体部の全体を示す斜視図である。
【図３】図２における係合部の別な形態を示す部分図である。
【図４】図２における係合部の更に別な形態を示す部分図である。
【図５】図３における部分図のＡ−Ａ’断面を示す断面図である。
【符号の説明】
【００２１】
１・・・ブーツ本体部
２・・・リボン
３・・・カップ本体部
４・・・カップ蓋部
５・・・開封部
６・・・顎部
７・・・係合部
８・・・中空部
【図１】
0003126109.tif 000003
【図２】
0003126109.tif 000004
【図３】
0003126109.tif 000005
【図４】
0003126109.tif 000006
【図５】
0003126109.tif 000007